(57)【特許請求の範囲】
【請求項１】
文字または図形を表す１以上の意匠を有する透明または半透明の導光板と、
前記導光板に重ねられる光遮蔽板と、
前記導光板に光を投入する光源とを備え、
前記光遮蔽板は、光を透過する透過部と、光を遮蔽する遮蔽部とを有し、
前記透過部又は前記遮蔽部は、前記遮蔽板中に複数配置され、
前記導光板は、
少なくとも１つの前記意匠を構成する意匠要素が前記透過部と前記遮蔽部にまたがって配置され、
前記意匠要素における前記透過部と重なる位置に前記透明または前記半透明の部分非発光部を有し、
前記意匠要素における前記遮蔽部と重なる位置に前記光源から投入された光を屈折または散乱させて発光状態に視認される発光部を有する
透過型意匠性発光装置。
【請求項２】
前記意匠は、１つの前記意匠要素内に前記部分非発光部を複数有する
請求項１記載の透過型意匠性発光装置。
【請求項３】
前記部分非発光部は、
前記部分非発光部と重なる前記遮蔽板の透過部と面積が同じ合同な形状であるか、
または、前記部分非発光部と重なる前記遮蔽板の透過部より面積が大きく前記遮蔽板の透過部を覆う形状である
請求項１または２記載の透過型意匠性発光装置。
【請求項４】
前記導光板が前記光遮蔽板の両面に設けられ、
一方の前記導光板には当該一方側から見て正しく見える前記意匠が施され、
他方の前記導光板には当該他方側から見て正しく見える前記意匠が施され、
一方の前記導光板と他方の前記導光板のいずれもが、前記光遮蔽板の前記透過部と重なる位置に前記部分非発光部が設けられている
請求項１、２、または３記載の透過型意匠性発光装置。
【発明の詳細な説明】
【技術分野】
【０００１】
この発明は、例えば、発光部分により文字または図形を表す透過型意匠性発光装置に関する。
【背景技術】
【０００２】
従来、デパートや体育館等の様々な施設の屋内や遊園地や球戯場等の野外には、来店客に非常時の出口や特定フロアの場所を案内する、あるいは店舗やトイレなどを案内するため、吊り下げタイプや設置タイプ等の様々な案内サインが使用されている。
【０００３】
このような案内サインに関して、避難誘導、防犯、道路標識、案内標識等の標識となるサインマークを発光表示するサイン表示灯が提案されている（特許文献１参照）。このサイン表示灯は、裏カバー板２２について、表カバー板２１と同じく透明又は半透明の板であってもよいし、また、金属製、樹脂製、木製等の不透明板を使用してもよいと記載されている。
【０００４】
しかし、裏カバー板２２を不透明にした場合は、サイン表示灯の向こう側が透けて見えることは無いため、存在感もしくは圧迫感のある印象となる。また、裏カバー板２２を透明または半透明にした場合は、向こう側が透けて見える部分が生じるとしても、向こう側から見たときには文字や図形が逆向きになるという問題があった。その上、透けて見えるのは、サインマークＭ以外の部分であり、透けているところと透けていないところが明瞭にわかれてしまうという問題点もあった。
【先行技術文献】
【特許文献】
【０００５】
【特許文献１】実登３１９９１２１号公報
【発明の概要】
【発明が解決しようとする課題】
【０００６】
この発明は、上述の問題に鑑みて、向こう側が透けて見える透過型意匠性発光装置を提供し、利用者の満足度を向上させることを目的とする。
【課題を解決するための手段】
【０００７】
この発明は、文字または図形を表す１以上の意匠を有する透明または半透明の導光板と、前記導光板に重ねられる光遮蔽板と、前記導光板に光を投入する光源とを備え、前記光遮蔽板は、光を透過する透過部と、光を遮蔽する遮蔽部とを有し、前記透過部又は前記遮蔽部は、前記遮蔽板中に複数配置され、前記導光板は、少なくとも１つの前記意匠を構成する意匠要素が前記透過部と前記遮蔽部にまたがって配置され、前記意匠要素における前記透過部と重なる位置に前記透明または前記半透明の部分非発光部を有し、前記意匠要素における前記遮蔽部と重なる位置に前記光源から投入された光を屈折または散乱させて発光状態に視認される発光部を有する透過型意匠性発光装置であることを特徴とする。
【発明の効果】
【０００８】
この発明により、向こう側が透けて見える透過型意匠性発光装置を提供し、利用者の満足度を向上させることができる。
【図面の簡単な説明】
【０００９】
【図１】透過型意匠性発光装置の斜視図。
【図２】透過型意匠性発光装置の分解斜視図による説明図。
【図３】透過型意匠性発光装置の部分拡大図による説明図。
【図４】透過型意匠性発光装置の第１面と第２面の説明図。
【図５】透過型意匠性発光装置のサンプル製品の写真による説明図。
【図６】透過型意匠性発光装置の他の実施例の説明図。
【図７】遮蔽板の他の実施例の説明図。
【発明を実施するための形態】
【００１０】
以下、この発明の一実施形態を図面と共に説明する。
【００１１】
図１は、透過型意匠性発光装置１の斜視図であり、図２（Ａ）は透過型意匠性発光装置１の第１面側から見た分解斜視図、図２（Ｂ）は透過型意匠性発光装置１の第２面側から見た分解斜視図である。
【００１２】
図１に示すように、透過型意匠性発光装置１は、光を透過する第１導光板２Ａと、光を一部遮蔽する遮蔽板３と、遮蔽板３を挟んで第１導光板２Ａの反対側にある第２導光板２Ｂと、これらが重ねられた１辺に対向して設けられた棒状の照明ユニット５で構成される。照明ユニット５は、電源に接続される導線６が一端に設けられている。なお、図１の図示では、わかりやすくするために意匠部２０（“ＩＮＦＯＭＡＴＩＯＮ”の文字と“ｉ”を“円”で囲んだマーク）の発光部分が黒色で示されている。
【００１３】
第１導光板２Ａ、遮蔽板３、および第２導光板２Ｂは、いずれも同じ大きさの平面形状であり、この順番に重ねられている。この実施例では、第１導光板２Ａ、遮蔽板３、および第２導光板２Ｂは、横約４２０ｍｍ、縦約３００ｍｍの長方形に形成されているが、これに限らず適宜の大きさ、形状に形成することができる。
【００１４】
第１導光板２Ａは、文字または図形を表す意匠部２０が複数設けられている。この意匠部２０は、文字または図形により形成されており、ある程度の太さを有する意匠要素（線、点、または面）の組み合わせにより構成されている。図示の例では、意匠部２０は、意匠要素として、「ＩＮＦＯＭＡＴＩＯＮ」の文字と、円の中に「ｉ」を描いた図形を有している。この意匠要素による意匠部２０は、意匠要素発光部２２と、意匠要素非発光部２１ａにより構成されている。また、意匠要素以外の部分は、非発光部２１により構成されている。
【００１５】
図２に示すように、遮蔽板３は、透明のアクリル板の表面に黒一色で印刷が施されている。この印刷は、一定間隔に規則的に孔が設けられ、孔部分は印刷されず、孔以外の部分が黒一色に印刷されている。この黒一色に塗りつぶされている部分が光を遮蔽する光遮蔽部３１となり、孔部分が光を透過する透過部３２となる。透過部３２は、同一サイズで同一形状のものが等間隔に規則的に配置されている。この実施例の透過部３２は、１辺が３ｍｍの正方形の透過部３２が横６ｍｍ間隔で一列に多数並べられ、この１列の孔が上下方向に多数列設けられている。各列は、１つ前の列の光遮蔽部３１の中心位置に透過部３２が位置するように、１列ずつ交互に透過部３２の位置がずれるように配置されている。
【００１６】
なお、遮蔽板３は、このような構成に限らず、ステンレスの板に孔を空けたパンチングメタルにより構成するなど、透過部と遮蔽部がある適宜の素材により構成してもよい。この場合も同じ作用効果を奏することができる。
【００１７】
第１導光板２Ａおよび第２導光板２Ｂの意匠要素非発光部２１ａは、遮蔽板３の透過部３２と同じ位置に重なるように設けられている。すなわち、第１導光板２Ａおよび第２導光板２Ｂは、意匠部２０を構成する意匠要素を表す意匠要素発光部２２が後述するように掘削して描かれるのであるが、遮蔽板３の透過部３２と重なる部分の意匠要素非発光部２１ａを残して掘削して描かれている。つまり、意匠要素非発光部２１ａは掘削されず平面部２１と同じに構成されている。したがって、意匠要素発光部２２は、意匠要素非発光部２１ａの部分が穴あきになった文字や図形として掘削して描かれる。なお、図２において、遮蔽板３は、光を透過しない光遮蔽部３１を黒色で示されており、第１導光板２Ａおよび第２導光板２Ｂは、掘削部分である意匠要素発光部２２を黒色で示されている。
【００１８】
遮蔽板における光遮蔽部３１に対する透過部３２の面積割合（外ぶち等の透過部３２が施されていない部分は除く）、および第１導光板２Ａおよび第２導光板２Ｂの意匠要素２０における意匠要素発光部２２に対する意匠要素意匠要素非発光部２１ａの面積割合は、同一かそれ以下とすることができ、同一未満とすることが好ましい。この実施例では、同一よりも２５％程度狭い面積となっている。これにより、意匠部２０の視認性を損なわず、良好な視認性を得ることができる。
【００１９】
なお、遮蔽板３の厚みは、１０ｍｍ以下とすることができ、６ｍｍ以下とすることが望ましく、３ｍｍ以下とすることが好適である。このようにできるだけ遮蔽板３を薄くすることにより、第１導光板２Ａの意匠要素非発光部２１ａと第２導光板２Ｂの意匠要素非発光部２１ａと遮蔽板３の透過部３２が適切に重なり、斜めから視認してもズレが少ない状態にすることができる。
【００２０】
図３（Ａ）は、透過型意匠性発光装置１の縦断面図である。
第１導光板２Ａと第２導光板２Ｂは、遮蔽板３を挟んで遮蔽板３の両面に重ねて配置されている。
【００２１】
第１導光板２Ａと遮蔽板３と第２導光板２Ｂが重ねられた一辺（図示上方）には、照明ユニット５が設けられている、この証明ユニット５には、光源としてのＬＥＤ５ａが透過型意匠性発光装置１の厚み方向中心、すなわち遮蔽板３の一辺との対向位置に設けられている。ＬＥＤ５ａは、第１導光板２Ａと遮蔽板３と第２導光板２Ｂの幅全体にわたって一直線に複数整列されている。
【００２２】
第１導光板２Ａと第２導光板２Ｂの照明ユニット５との対向する辺は、傾斜面２ａ，２ｂが設けられている。この傾斜面２ａ，２ｂにより、遮蔽板３の位置にあるＬＥＤ５ａからの光が屈折して第１導光板２Ａと第２導光板２Ｂの中にそれぞれ入射し、第１導光板２Ａと第２導光板２Ｂの傾斜面２ａ，２ｂとの反対辺まで光が通過する導光体として第１導光板２Ａと第２導光板２Ｂが機能する。
【００２３】
なお、ＬＥＤ５ａは、上記１列の構成に限らず、２列にして第１導光板２Ａと第２導光板２Ｂのそれぞれの１辺に対向して設けられても良い。この場合は、傾斜面２ａ，２ｂを設けずに、ＬＥＤ５ａからの光が第１導光板２Ａと第２導光板２Ｂにまっすぐ入光する構成にすればよい。この場合も同様の作用効果を奏することができる。
【００２４】
図３（Ｂ）は、導光板２（第１導光板２Ａ、第２導光板２Ｂ）の部分拡大断面図である。導光板２は、厚さ一定のアクリル等の透明板により構成されており、その一方の面（遮蔽板３側の面）に掘削加工によって意匠要素発光部２２が設けられている。
【００２５】
意匠要素発光部２２は、光の入射側である傾斜面２ａ（２ｂ）に近いほど掘削深さが浅く、光の入射側である傾斜面２ａから離れるほど掘削深さが深くなり、かつ、その底面がわずかに傾斜するように構成されている。したがって、入射側の意匠要素発光部２２の掘削されず残っている部分の残厚さＤ１が、入射側から遠い意匠要素発光部２２の掘削されず残っている部分の残厚さＤ２より厚くなるように構成されている。
【００２６】
そして、掘削した底面は細かな凹凸のある状態（すりガラスのような状態）に形成されている。これによって、傾斜面２ａ（２ｂ）から入射した光が意匠要素発光部２２の底面の凹凸で乱反射し、意匠要素発光部２２が光って発光部として視認される。第１導光板２Ａおよび第２導光板２Ｂの意匠要素発光部２２以外の部分は、障害がなく光が通過し、非発光の透明部として視認される。
【００２７】
意匠要素発光部２２以外の部分は、全く掘削されていない平面部２１により構成されている。なお、意匠部２０（図１参照）において掘削されていない部分は意匠要素非発光部２１ａとなる。この実施例では、意匠要素発光部２２の幅Ｗ１は、意匠要素非発光部２１ａの幅Ｗ２より広く形成されている。これにより、意匠部２０（図１参照）において非発光の面積より発光する面積の方が広くなるように構成されている。意匠要素非発光部２１ａの幅Ｗ２は、３ｍｍとする、５ｍｍとする、１０ｍｍとするなど、適宜の幅に構成することができる。
【００２８】
なお、残厚さＤ２は、第１導光板２Ａの強度を保つため、ある程度の厚みを残すことが望ましく、第１導光板２Ａの厚みの半分以上の厚みとすることが好ましい。
【００２９】
また、本実施例では意匠要素発光部２２は掘削することで形成されているが、形成方法は掘削に限定されない。例えば、第１導光板２Ａの表面に意匠要素発光部２２の形状に薄い白色塗装や透明塗装を行い、この白色塗装や透明塗装によって光を乱反射して発光させる構成としても良い。このように構成した場合も同様の作用効果を奏することができる。
【００３０】
図３（Ｃ）は、第２導光板２Ｂの部分拡大平面図である。
第２導光板２Ｂは、様々な太さの意匠部２０が設けられている。この図において、発光して光る意匠部２０は白色で示され、全体的に配置されている意匠要素非発光部２１ａおよび透過部３２は灰色で表示され、意匠部２０以外で非発光部２１ａおよび透過部３２でもない部分は黒色で表示している。
第２導光板２Ｂは、太さの異なる複数種類の意匠部２０が設けられている。
【００３１】
意匠部２０のうち「ＩＮＦＯＭＡＴＩＯＮＡ」の意匠要素「Ｉ」を示す意匠要素発光部２２の幅Ｗ３は、意匠要素非発光部２１ａおよび透過部３２の幅Ｗ２よりも１．５倍程度広く（意匠要素非発光部２１ａおよび透過部３２の１列分が入る太さに）構成されている。
【００３２】
意匠部２０のうち円で囲んだ「ｉ」の意匠要素の円を示す意匠要素発光部２２の幅Ｗ４は、意匠要素非発光部２１ａおよび透過部３２の幅Ｗ２よりも３倍程度広く（同２列分が入る太さに）構成されている。
【００３３】
意匠部２０のうち円で囲んだ「ｉ」の意匠要素の「ｉ」を示す意匠要素発光部２２は、最も細い下端左右の突出部の幅Ｗ５が、意匠要素非発光部２１ａおよび透過部３２の幅Ｗ２よりも３倍程度広く（同２列分が入る太さに）構成され、次に太い「ｉ」の縦棒部分の幅Ｗ６が意匠要素非発光部２１ａおよび透過部３２の幅Ｗ２よりも１０倍程度広く（同７列分が入る太さに）構成され、最も太い「ｉ」の上の点部分の幅Ｗ７が意匠要素非発光部２１ａおよび透過部３２の幅Ｗ２よりも１３倍程度広く（同９列分が入る太さに）構成されている。
【００３４】
このように、各意匠要素を構成する意匠要素発光部２２の最も細い部分の幅（太さ）は、意匠要素非発光部２１ａおよび透過部３２の幅Ｗ２よりも広く（太く）構成され、この実施例では全ての意匠要素が１．５倍以上広く（太く）構成されている。
【００３５】
なお、図示においては意匠要素非発光部２１ａおよび透過部３２の大きさが同一に見えるが、実際には意匠要素非発光部２１ａを透過部３２より一回り（例えば０．２ｍｍや０．５ｍｍ等、０．１ｍｍ以上２ｍｍ以下であることが好ましい）大きく構成し、正面から見ると意匠要素非発光部２１ａの中に透過部３２が完全に収まるように構成されている。逆に言うと、第１導光板２Ａと第２導光板２Ｂの意匠要素発光部２２は、正面から見ると、遮蔽板３の光遮蔽部３１内に完全に収まるように構成されている。したがって、第１導光板２Ａと第２導光板２Ｂの一方の意匠要素発光部２２は、裏面側から見ると遮蔽板３の光遮蔽部３１に完全にさえぎられて（覆い隠されて）一切視認できない構成となっている。
【００３６】
以上の構成により、図５の写真による説明図に示すように、向こう側が透けて見える透過型意匠性発光装置１を提供し、利用者の満足度を向上させることができる。
透過型意匠性発光装置１は、意匠部２０が穴あきのような状態でありながら文字や図形が認識され、穴あき部分から向う側が透けて見える。
【００３７】
透過型意匠性発光装置１の意匠部２０は、第１導光板２Ａと遮蔽板３との平面同士を重ねた場合において、遮蔽板３の透過部３２と重なる位置に意匠要素非発光部２１ａを有するため、図５（Ａ）に示すように、第１の方向（表面）から見ると第１導光板２Ａの意匠要素発光部２２のみが意匠部２０として視認され、第２導光板２Ｂの意匠要素発光部２２は一切視認できない。また逆に、第２の方向（裏面）から見ると、図５（Ｂ）に示すように、第２導光板２Ｂの意匠要素発光部２２のみが意匠部２０として視認され、第１導光板２Ａの意匠要素発光部２２は一切視認できない。
【００３８】
したがって、第１導光板２Ａと第２導光板２Ｂで異なる意匠を表すことができ、図示するように、第１導光板２Ａには第１の方向から見て正常に読める文字や図形を表し、第２導光板２Ｂには第２の方向から見て正常に読める文字や図形を表すことができる。このため、表から正しく視認できた文字が、裏から見ると文字が逆向きとなるようなことが無く、向う側が透けて見えながら両面を正しく活用できる透過型意匠性発光装置１を提供できる。
【００３９】
なお、図５（Ｃ）は、参考用に第１導光板２Ａのみを発光させた場合の写真である。この写真により意匠要素発光部２２以外の部分が完全に透明になっていることが確認でき、図５（Ａ）はその透明部分に遮蔽板３が見えている状態であることがわかる。
【００４０】
また、意匠部２０は、１つの意匠部２０内に意匠要素非発光部２１ａを複数有する。この構成により、一方から視認した場合に他方側の景色（背景）をより明瞭に透過することができる。
【００４１】
また、意匠要素非発光部２１ａは、第１導光板２Ａと遮蔽板３との平面同士を重ねた場合において、重なった透過部３と同じ形状かつ面積が同じであるか、透過部３より面積が大きく透過部３を覆い隠す形状である。この構成により、視認方向の反対側にある第１導光板２Ａまたは第２導光板２Ｂが視認されないため、意匠部２０としての表示内容や向う側の景観を阻害しない良好な視認性を得ることができる。
【００４２】
また、透過型意匠性発光装置１は、第１導光板２Ａに対して遮蔽板３を挟んで反対側に、第２導光板２Ｂを備える。この構成により、透過型意匠性発光装置１の表と裏で異なる案内表示を行うことができる。
【００４３】
また、意匠要素発光部２２が形成されている意匠部２０は、照明ユニット５に最も近い意匠上部における第１導光板２Ａおよび第２導光板２Ｂの厚みである残厚さＤ１が、照明ユニット５から最も遠い意匠下部における第１導光板２Ａおよび第２導光板２Ｂの厚みである残厚さＤ２と比較して厚くなっており、意匠要素発光部２２の底面が傾斜している。この構成により、第１導光板２Ａおよび第２導光板２Ｂに光を投射した際に、入射側の残厚さＤ１が広いために十分に光が入射し、下部の残厚さＤ２まで狭まりながら途中の各意匠要素発光部２２の底面がそれぞれ光を乱反射できる。したがって、第１導光板２Ａおよび第２導光板２Ｂの下部になるに従って意匠部２０の発光強度が弱くなることがなく、均一の強度で意匠部２０の意匠要素発光部２２を発光させることができる。
【００４４】
さらに、意匠部２０の非発光部間の距離である幅Ｗ１は、意匠要素非発光部２１ａの幅Ｗ２より大きい。この構成により、意匠部２０を視認した際に意匠要素非発光部２１ａよりも意匠要素発光部２２がよく視認され、より明瞭に意匠部２０を視認することができる。しかも、意匠要素発光部２２は発光しているために、目の錯覚もあってより広く認識され、意匠部２０をより明瞭に認識できる。
【００４５】
図５の写真は、文字や図形の大きさを様々にしてサンプル製造した実物の写真であるため、文字の幅が意匠要素非発光部２１ａの幅より狭く読みがたい部分が存在しているが、このような部分をなくして意匠要素発光部２２の幅を意匠要素非発光部２１ａの幅より広くすることで、明瞭な視認性を確保できる。特に文字については、明朝体であると細い部分が生じるため、ゴシック体とすることが望ましい。ただし、明朝体の細い部分の幅が意匠要素非発光部２１ａの幅より広くなるような大きな文字であれば明朝体としても差し支えない。
【００４６】
なお、この発明は、上述の実施形態の構成のみに限定されるものではなく、多くの実施の形態を得ることができる。
例えば、本実施例では透過部３２および意匠要素非発光部２１ａは直径３ｍｍの円形としたが、意匠部２０を視認可能であって、第１導光板２Ａの裏側が視認可能であれば、どのような大きさ、形状としてもよい。
【００４７】
例えば図６に示すように、規則的な図形の繰り返しとすることもできる。図６（Ａ）は、透過部３２および意匠要素非発光部２１ａを正方形として、横方向および縦方向に等間隔に規則正しく並べ、一列ずつ横方向にずらして上下列の間に位置するよう並べたものである。この場合の開口率（全体面積に対する透過部３２の面積の割合）は、２２．５％となっている。
【００４８】
図６（Ｂ）は、透過部３２および意匠要素非発光部２１ａを正方形として、縦横に規則正しく並べたものである。この場合の開口率（全体面積に対する透過部３２の面積の割合）は、２５％となっている。
【００４９】
図６（Ｃ）は、透過部３２および意匠要素非発光部２１ａを横方向に長細い楕円形とし、横方向および縦方向に等間隔に規則正しく並べ、一列ずつ横方向にずらして上下列の間に位置するよう並べたものである。この場合の開口率（全体面積に対する透過部３２の面積の割合）は、２３．３％となっている。
また、透過部３２および意匠要素非発光部２１ａは、図６（Ａ）や図６（Ｂ）の配置で形状を円形や八角形等の適宜の形状とすることもできる。
【００５０】
図７は、様々な遮蔽板３の透過部３２の例を示す説明図であり、不規則な形状も含まれている。
図７（Ａ）は、縦長の棒を横並びにした縦ストライプの例であり、図７（Ｂ）は斜めのストライプの例であり、図７（Ｃ）は横ストライプの例である。
【００５１】
図７（Ｄ）は、横に長い幅不均一の波型模様であるアニマル柄（ゼブラ）の例であり、図７（Ｅ）は横長の波型模様が一部結合や分離した別のあるアニマル柄（ゼブラ）の例であり、図７（Ｆ）は大きさの異なる波打った四角形が多数配置されたアニマル柄（クロコダイル）の例である。
【００５２】
図７（Ｇ）は波打ったリングの中心に点がある柄が不規則に複数配置されたアニマル柄（ジャガー）の例であり、図８（Ｈ）は波打ったリングが複数不規則に配置されたアニマル柄（ヒョウ）の例であり、図７（Ｉ）は波打った円が複数不規則に配置されたアニマル柄（チーター）の例である。
【００５３】
いずれの場合も、透過部３２と光遮蔽部３１がある程度一定の割合で存在していえる柄である。これらの柄は、透過部３２と光遮蔽部３１を入れ替えても良い。そして、何れの場合も、第１導光板２Ａと第２投光板２Ｂの意匠部２０における意匠要素非発光部２１ａを重なる部分の透過部３２と同一形状かそれより一回り大きい形状に形成する。そして、意匠部２０の意匠要素の細い部分の幅（意匠要素発光部２２の幅）を、透過部３２の幅よりも広く構成し、より好ましくは１．５倍以上の幅に構成する。このように構成した場合も同一の作用効果を奏することができる。
【産業上の利用可能性】
【００５４】
この発明は、屋内および屋外で使用される発光型のサインと呼ばれる透過型意匠性発光装置の産業に利用することができる。
【符号の説明】
【００５５】
１…透過型意匠性発光装置
２…導光板
２Ａ…第１導光板
２Ｂ…第２導光板
３…遮蔽板
５ａ…ＬＥＤ
２０…意匠部
２１ａ…意匠要素非発光部
２２…意匠要素発光部
３１…光遮蔽部
３２…透過部
Ｄ１…残厚さ
Ｄ２…残厚さ
Ｗ１…発光の幅
Ｗ２…意匠要素非発光部の幅
【要約】
【課題】屋内の天井や屋外に設置した場合であっても、景観を損なわない透過型意匠性発光装置を提供する。
【解決手段】文字または図形を表す１以上の意匠部２０を有する透明または半透明の導光板２と、導光板２に重ねられる遮蔽板３と、導光板２に光を投入する照明ユニット５とを備え、遮蔽板３は、光を透過する透過部３２と、光を遮蔽する光遮蔽部３１とを有し、透過部３２又は光遮蔽部３１は、遮蔽板３中に複数配置され、導光板２は、少なくとも１つの意匠部２０が透過部３２と光遮蔽部３１にまたがって配置され、透過部３２と重なる位置に透明または半透明の意匠要素非発光部２１ａを有し、光遮蔽部３１と重なる位置に照明ユニット５から投入された光を屈折または散乱させて発光状態に視認される発光部を有する透過型意匠性発光装置１とした。
【選択図】図５【図１】
0006792734.tif 000002
【図２】
0006792734.tif 000003
【図３】
0006792734.tif 000004
【図４】
0006792734.tif 000005
【図５】
0006792734.tif 000006
【図６】
0006792734.tif 000007
【図７】
0006792734.tif 000008